(57)【要約】【課題】閉鎖水域の水質浄化に適した、自立型独立電源で、水面に浮かべて使用することができ、しかも十分な量の酸素を水中に取り込むことができ、水質浄化効率の高い小型の水質浄化システムおよび水質浄化方法を提供することを目的とする。【解決手段】少なくとも、水面に浮かぶフロート２２と、フロート２２に直立した鉛直軸風車を有する風力発電機２４と、風力発電機２４から得られる電力により駆動して、水面ＷＬ下にマイクロバブル２８を吐出するマイクロバブル発生装置２６と、からなることを特徴とする水質浄化システムおよびこれを用いた水質浄化方法である。【選択図】  図２
2004181324.tif 000002
【特許請求の範囲】
【請求項１】
少なくとも、水面に浮かぶフロートと、該フロートに直立した鉛直軸風車を有する風力発電機と、該風力発電機から得られる電力により駆動して、水面下にマイクロバブルを吐出するマイクロバブル発生装置と、からなることを特徴とする水質浄化システム。
【請求項２】
さらに、前記風力発電機から得られる電力を一時的に蓄電し得る蓄電池を含むことを特徴とする請求項１に記載の水質浄化システム。
【請求項３】
前記フロートに、１本の係留用のロープの一端が緊結されてなることを特徴とする請求項１または２に記載の水質浄化システム。
【請求項４】
請求項３に記載の水質浄化システムを水面に浮かべ、前記係留用のロープの他端を水底に係止して、１点で係留して、前記水質浄化システムを作動させることを特徴とする水質浄化方法。
【発明の詳細な説明】
【０００１】
【発明の属する技術分野】
本発明は、湖沼や池等の閉鎖水域における水質を、溶存酸素量を向上させることで浄化する水質浄化システムおよび水質浄化方法に関するものである。
【０００２】
【従来の技術】
【特許文献１】
特開平１０−１１８６８９号公報
【特許文献２】
特開平０８−１０３７９８号公報
【特許文献３】
特開平０８−０８０４９８号公報
【特許文献４】
特開平１１−１３８１９４号公報
【特許文献５】
特開平８−２９０１９２号公報
【０００３】
湖沼や池等の閉鎖水域は、一般的に貧酸素状態となりやすく、微生物が生育し難くなることから水質汚染が問題となる。したがって、このような閉鎖水域の水質浄化が望まれている。
【０００４】
水質浄化装置やシステムは、従来より種々のものが開発されている（例えば、特許文献１〜３参照）。しかし、外部電源に頼ったり、装置が大型で閉鎖水域に設置するには、不適な物が多い。閉鎖水域は、通常、森林地帯や都市部に立地し、その地形的条件から、電源の確保が困難であり、また、景観上の問題や水面の面積等の関係から、大型の物が設置できないからである。また、閉鎖水域の縁端部に水質浄化装置やシステムを設置しても、浄化効率が低い。さらに、水質浄化装置やシステムを固定して設置してしまうと、閉鎖水域の全域で見ると水質にばらつきが生じやすい。その他低コスト化や設置の自由度の観点からも、自立型独立電源（いわゆる自家発電）で、水面に浮かべるタイプのものが求められている。
【０００５】
水面に浮かべるタイプの水質浄化装置として、太陽電池を電源とする技術が開示されている（例えば特許文献４参照）。しかし、太陽電池は発電力に乏しく、十分な電力を得ようとすると、表面積を大きくしなければならず、結局装置が大型化してしまう。
【０００６】
自立型独立電源としては、太陽電池のほか、風力発電装置を挙げることができるが、通常の風力発電装置では、風車の回転軸を風向きと一致させ（すなわち、風車を風向に対向させ）なければならず、水面に浮かべるタイプの水質浄化装置の電源に利用した場合、水面で装置全体が回転してしまい風車の回転軸を維持することが困難であり、風車の大きさと風力によっては装置全体が転倒する可能性もある。したがって、通常の風力発電装置は、水面に浮かべるタイプの水質浄化装置の電源に不向きである。また、閉鎖水域では一般的に風向が極めて変わりやすく、しかも風力も比較的弱い。
【０００７】
一方、水質浄化の方法にも種々あるが、貧酸素状態を解消するには、単に水流を生じさせることで、閉鎖水域の水の澱みを解消させるだけでは、不十分であり、水中に空気を導入し、酸素を溶解させる方法が採られる。しかし、単に大気中に散水して空気との接触面積を確保して酸素を溶解させたり、いわゆるエアレーションにより気泡を水中に生じさせるだけでは、十分な量の酸素を水中に取り込むことができず、できるだけ多くの酸素を水中に取り込ませようとすれば、装置の大型化に繋がってしまう。
【０００８】
【発明が解決しようとする課題】
したがって、本発明は、閉鎖水域の水質浄化に適した水質浄化装置および水質浄化システムを提供することを目的とする。詳しくは、本発明は、独立電源で、水面に浮かべて使用することができ、しかも十分な量の酸素を水中に取り込むことができ、水質浄化効率の高い小型の水質浄化システムおよび水質浄化方法を提供することを目的とする。
【０００９】
【課題を解決しようとする手段】
上記目的は、以下の本発明により達成される。
すなわち本発明の水質浄化システムは、少なくとも、水面に浮かぶフロートと、該フロートに直立した鉛直軸風車を有する風力発電機と、該風力発電機から得られる電力により駆動して、水面下にマイクロバブルを吐出するマイクロバブル発生装置と、からなることを特徴とする。
【００１０】
本発明の水質浄化システムによれば、水面に浮かぶフロートに水質浄化に要する構成要素を集約させたので、閉鎖水域の水面に浮かべるだけで設置することができ、設置場所を選ばない。そのため、閉鎖水域の縁端に固定的に設置する必要がなく、しかも１箇所にとどめておく必要もなく、広範囲の水域の水質を均質に浄化することができる。
【００１１】
本発明の水質浄化システムにおいては、独立電源として、３６０゜どの方向からの風でも反応して発電する鉛直軸風車を有する風力発電機を用いており、設置場所特有の風向変化が激しい環境においても発電効率が高い。特に鉛直軸風車を有する風力発電機は、弱風でも高効率で発電することができるというメリットがある。したがって、水面に浮かぶフロートに水質浄化に要する構成要素を集約させた本発明の態様においても、所要電力の自給自足を図ることができる。
【００１２】
さらに、本発明の水質浄化システムにおいては、水質浄化手段として、水面下にマイクロバブルを吐出するマイクロバブル発生装置を採用しており、高効率で溶存酸素量を向上させることができる。
このように本発明の水質浄化システムは、１つのユニットで、発電から水質浄化手段の駆動まで自給自足で賄うことができ、機動性が高く持ち運びできる程度の大きさとすることもでき、施工性にも優れ、また構造が単純なためメンテナンスを基本的に不要とすることができる等、数々の利点を有する。
【００１３】
本発明の水質浄化システムに用いるフロートとしては、特に制限はなく、水面に浮かぶ構造ないし材料により構成されていればよい。一般的には、中空体、あるいはお椀形や舟形等の形状のものが用いられ、材質としては、水より比重が大きくても構わず、通常の金属材料や木材、樹脂材料等が用いられる。いずれにしても、フロートに要求される機能としては水に対して浮力を有することであり、好ましくは姿勢が安定しやすいことである。
【００１４】
本発明において、鉛直軸風車を有する風力発電機とは、鉛直軸風車による回転駆動力によって、ナセル（発電機）の軸を回転させるものであり、鉛直軸風車とナセルとから構成される。ナセルは、一般に風力発電機に用いられるものをそのまま用いることができる。
【００１５】
「鉛直軸風車」とは、風圧により回転駆動する風車部分の回転軸が、風向とは一致せず、風向に対して垂直方向に保持される風車を言う。回転軸を、風向に対して垂直方向に保持すれば回転駆動するが、通常は鉛直方向に保持された状態で用いる。
【００１６】
図１に、鉛直軸風車の基本構造を説明するための上面図（鉛直軸の延長線上から見た図）を模式的に示す。図１に示すように、鉛直軸風車は、軸１０を中心として、一方の側に、風Ｗ１を受け止め風力により押し込まれ矢印Ａ’方向に回転するブレード１２が、他方の側に、風Ｗ１を後方に流しやすく風Ｗ１に対向して動き矢印Ａ方向に回転するブレード１４が、それぞれ軸着されてなる（なお、各ブレードは、必ずしも軸に直接固定されなくても構わない。）。ブレード１２およびブレード１４が１８０°回転すると、今度は風Ｗ１を受け止め風力により押し込まれる側と風Ｗ１に対向して動く側とが入れ替わり、回転が持続する。このように、ブレード１２の矢印Ａ’方向への回転とブレード１４の矢印Ａ方向への回転との合力として、回転駆動力が発生する。
【００１７】
鉛直軸風車としては、図１に示すようにブレードの数が２枚のものに限定されるものではなく、３枚でも４枚以上でも構わない。ただし、回転安定性の観点から、回転軸を基準として各ブレードが等角度で軸着していることが好ましい。また、ブレードの形状も図１のブレード１２，１４に示されるような円弧系の形状に限定されるものではなく、風を受け止めかつ後方に逃がしやすくするための各種形状を適宜選択することができる。
【００１８】
鉛直軸風車の好ましい例としては、サボニウス型風車やダリウス型風車等が挙げられ、構造が単純で比較的高効率なサボニウス型風車が特に好ましい。
鉛直軸風車の大きさとしては、特に制限はなく、設置箇所の風力や所要電力等により適宜設計すればよいが、機動性を高くするにはあまり大きくしすぎない方が好ましく、直径として３ｍ以下、高さとして３ｍ以下とすることが好ましく、特に直径２ｍ程度、高さ２ｍ程度とすることが好ましい。
【００１９】
本発明の水質浄化システムに用いるマイクロバブル発生装置としては、気泡径２０μｍ以下の気泡が発生し、酸素溶解効率が１０％以上の高い曝気効果を有する必要があるが、その他は特に制限なく、マイクロバブルを発生し得る装置であれば、特に制限なく使用することができる。
なお、マイクロバブルの気泡の大きさは、水圧、水温、水流等の環境により大きく変化するため、一定ではない。
【００２０】
例えば、適当な容器に水を張り、その水面に高圧で水を流し込んだ時、周りの空気を巻き込んで微細な気泡を生じ、該気泡により容器中の水は濁った状態となるが、これは水面に上がり大気中に逃げてすぐに水の濁りが消える。このような気泡はマイクロバブルの範疇には含まれない。本発明に言う「マイクロバブル」とは、発生したマイクロバブルにより、水が濁りもしない程度の小さな径の気泡である。このような微細径のマイクロバブルは、水中で長く滞留するため、および、空気量に比して水との接触面積が大きくなるため、多量の酸素を水中に溶解させることができる。
【００２１】
好ましいマイクロバブル発生装置としては、具体的には例えば、特開平８−２９０１９２号公報（特許文献５）に記載の曝気装置が挙げられるものがある。当該文献に記載の曝気装置は、極めて微細なマイクロバブルを小さな電力で多量に発生させることができるため、本発明に適用するのに、特に好ましい。
【００２２】
本発明の水質浄化システムは、少なくとも、以上説明したようなフロートと、風力発電機と、マイクロバブル発生装置と、からなるが、その他各種構成を追加することができる。例えば、本発明の水質浄化システムには、さらに、前記風力発電機から得られる電力を一時的に蓄電し得る蓄電池を含むことが好ましい。該蓄電池により、前記風力発電機から得られる電力を一時的に蓄電しておくことで、風力の強い時に充電しておき、弱い時にその蓄電した電力を放電することができ、独立電源として、安定した電力供給を実現することが可能となる。蓄電する電力電源は、太陽電池を併設する場合には勿論、当該太陽電池をも含んで構わない。本発明に使用可能な蓄電池としては、特に制限はなく、従来公知の各種蓄電池を使用することができる。
【００２３】
本発明の水質浄化システムは、そのまま水面に浮かべるだけで、自立的に発電し、かつ、水質浄化のための装置たるマイクロバブル発生装置が稼動するため、上記構成の状態のまま、閉鎖水域に適用可能ではあるが、そのままでは、風力に押されて閉鎖水域の縁端に移動してしまったり、時には閉鎖水域の岸辺に打ち上げられてしまったりするため、所望の箇所に係留することが望まれる。したがって、前記フロートには、１本の係留用のロープの一端が緊結されていることが好ましい。
【００２４】
この係留用のロープの使用法としては、本発明の水質浄化システムを所望の水域にとどめておくことが可能なように係留し得る態様であれば、如何なる方法でも構わない。例えば、前記係留用のロープの他端を閉鎖水域の岸に係止してもよいし、錨に緊結して、所望の水域に当該錨を降ろして用いても構わない。ただし、後述の本発明の水質浄化方法で述べるような態様で用いることが特に好ましい。
【００２５】
本発明の水質浄化方法は、上記本発明の水質浄化システムを水面に浮かべ、前記係留用のロープの他端を水底に係止して、１点で係留して、前記水質浄化システムを作動させることを特徴とする。このように上記本発明の水質浄化システムを水底で１点係留することとすれば、これを所定の水域内で保持することができ、例えば、閉鎖水域におけるほぼ中心位置に保持しておけば、該閉鎖水域全体を一様に浄化することができる。
【００２６】
また、上記本発明の水質浄化システムは、それに直立する鉛直軸風車に風が当たると、その風力による風抵抗を受けて、水底における１点係留地点を中心に風下に流される。風向きが変われば、それに追随して前記水質浄化システムが移動する。すなわち、水底における１点係留地点を中心に所定の範囲で、風向に応じて移動するため、広い範囲を一様に浄化することができる。
【００２７】
このとき前記水質浄化システムが移動する領域は、前記係留用のロープの長さ（ロープ長さＬ）と、前記１点係留地点となる水底までの水深Ｄとの関係により決まる。理論上、ロープ長さＬが水深Ｄよりも少しでも長ければ、前記水質浄化システムが移動する所定の範囲の領域が存在し、その領域は、前記１点係留地点を中心として半径√（Ｌ２−Ｄ２）の領域となる。しかし実際には、前記係留用のロープは水面下においてカテナリー曲線を描き、前記理論半径領域よりも大幅に小さな領域しか動けなくなる。この点を考慮して、ロープ長さＬとしては、水深Ｄの１．５倍〜３倍程度とすることが望ましい。
前記係留用のロープの他端を水底に係止する方法としては、特に限定されず、例えば、コンクリート等高比重の材料からなるアンカーに緊結し、これを所定の水域の水底に沈める方法が挙げられる。
【００２８】
【発明の実施の形態】
以下、本発明の水質浄化システムおよび水質浄化方法を、好ましい実施形態を挙げて説明する。
図２は、本発明の水質浄化システム、および、それを閉鎖水域に用いた本発明の水質浄化方法の一実施形態を表す模式説明図である。図２においては、水底の支持地盤の深さ方向から水面、さらにその上方までを、鉛直方向に切り出した状態で表されており、ＷＬは水面を、ＢＬは水底を示す。
【００２９】
図２において、２０は、本発明の水質浄化システムであり、水面ＷＬに浮かべられた状態で、係留用のロープ１６により水底ＢＬに係留されている。水質浄化システム２０は、主として、水面ＷＬに浮かぶフロート２２と、フロート２２に直立したサボニウス風車を有する風力発電機２４と、風力発電機２４から得られる電力により駆動して、水面ＷＬ下にマイクロバブル２８を吐出するマイクロバブル発生装置２６と、から構成される。また、フロート２２にはロープ１６の一端が緊結されている。本実施形態において、フロート２２としては、ＦＲＰ製で直径４ｍ、高さ１．５ｍの扁平円柱形の中空体を用いた。
【００３０】
図３に、風力発電機２４の斜視図を示す。風力発電機２４は、既述の如く鉛直軸風車の一種である一般的なサボニウス風車４０を有する。サボニウス風車４０は、楕円形状に丸められたブレード３２，３４が、天板３６および底板３８を介して軸４４に固定されて構成される。このとき、ブレード３２およびブレード３４は、相互に軸４４を中心とし点対称に取り付けられる。このように構成されたサボニウス風車４０は、ブレード３２，３４の丸められた内側面が風を受け止め風力により押し込まれ、外側面が風を後方に流しやすく風に対向して動き、結果として軸４４を中心にして矢印Ｂ方向に回転駆動する。
【００３１】
軸４４は、発電機４２の軸に直結しており、軸４４の回転駆動により、発電機４２の軸を回転させ、発電機４２が電力を発電する。なお、図２においては、発電機４２はフロート２２の内部に収納され図面に現れておらず、フロート２２に直立したサボニウス風車４０のみが表されている。
【００３２】
本実施形態では、ブレード３２，３４の回転軌跡外周の直径が２ｍで、フロート２２の上面からの高さが２ｍのサボニウス風車４０を用い、風力発電機２４の発電出力が３ｋＷのものを用いた。なお、本実施形態においては採用していないが、風力発電機２４における天板３６の上面やフロート２２の上面に、補助的な発電を担う太陽電池を配置しても構わない。
【００３３】
風力発電機２４（および必要に応じて、補助的に太陽電池）により得られる電力を動力として、マイクロバブル発生装置２６を駆動させるように構成されている。ただし、本実施形態では、風力発電機２４から得られる電力を一時的に蓄電し得る蓄電池をフロート２２の内部に含んでいる。図４は、本実施形態における水質浄化システム２０内の電気回路図である。風力発電機２４からの電力がマイクロバブル発生装置２６におけるモーター２６’に印加される回路の中で、蓄電池４８は風力発電機２４と並列に配される。なお、太陽電池を補助的に含む場合には、図４に示すように、太陽電池４６は風力発電機２４と並列に配される。
【００３４】
マイクロバブル発生装置２６は、図２に示すように水面ＷＬ下にマイクロバブル２８を吐出するように構成されているが、これを駆動させるポンプ（２６’）は、フロート２２の内部に収容されている（不図示）。勿論、本発明においては、いわゆる水中ポンプの如く水中で駆動可能なポンプを用いて、水面下にこれを配しても構わない。
【００３５】
本実施形態において用いたマイクロバブル発生装置２６は、ポンプ容量３．７ｋＷで送水量２２０リットル／ｍｉｎ．／台、空気供給量５０リットル／ｍｉｎ．／台のポンプを３台用いたものとした。
【００３６】
本実施形態においては、図２に示されるように、係留用のロープ１６の一端がフロート２２に固定点Ｍで緊結され、他端が水底に配されたアンカー１８に固定点Ｎで緊結されている。アンカー１８には、５０ｋｇのコンクリート製のアンカーを用いた。アンカー１８は、予めロープ１６を緊結させた上で水中に沈めることで水底ＢＬに配した。
ロープ１６の長さ（ロープ長さＬ）は、水深Ｄが５ｍであったので、その２倍の１０ｍとした。
【００３７】
以上の水質浄化システムに対して風Ｗ２が吹くと、図２に示すように、水質浄化システム２０は、風力発電機２４が回転駆動しマイクロバブル発生装置２６が稼動してマイクロバブル２８が発生して、閉鎖水域内の水が浄化される。それとともに、水質浄化システム２０は、風Ｗ２による風抵抗を受けて風下に移動する。風向が変わったときには、その変わった風向の風下に水質浄化システム２０は移動する。このときロープ１６は、図２に示すように、カテナリー曲線を描いた状態となる。水質浄化システム２０における固定点Ｍは、水底ＢＬの固定点Ｎから垂線Ｑを引き伸ばしたときの水面ＷＬとの交点（中心点Ｏ）を中心とする、所定の半径ｒの円内で移動する。この半径ｒは、既述の通りロープ１６がカテナリー曲線を描くことから、以下の式を満たす。
ｒ２＜（Ｌ２−Ｄ２）
【００３８】
以上の本実施形態の水質浄化システム２０によれば、水面ＷＬに浮かぶフロート２２に水質浄化に要する構成要素を集約させたので、閉鎖水域の水面ＷＬに浮かべるだけで設置することができ、設置場所を選ばない。また、独立電源として、３６０゜どの方向からの風でも反応して発電するサボニウス型風車を有する風力発電機２４を用いており、設置場所特有の風向変化が激しい環境においても発電効率が高く、所要電力の自給自足を図ることができる。さらに、水質浄化手段として、水面下にマイクロバブル２８を吐出するマイクロバブル発生装置２６を採用しており、高効率で溶存酸素量を向上させることができる。
【００３９】
このように本実施形態の水質浄化システムは、１つのユニットで、発電から水質浄化手段の駆動まで自給自足で賄うことができ、機動性が高く持ち運びできる程度の大きさとすることもでき、施工性にも優れ、また構造が単純なためメンテナンスを基本的に不要とすることができる等、数々の利点を有する。
【００４０】
そして、本実施形態の水質浄化システムでは、アンカー１８を閉鎖水域におけるほぼ中心位置に配置すれば、該閉鎖水域全体を均質に浄化することができる。また、風Ｗ２による風抵抗を受けて、水底ＢＬにおける１点係留地点（固定点Ｎ）を中心に風下に流され、風向きが変わればそれに追随して水質浄化システム２０が移動する。すなわち、水底ＢＬにおける１点係留地点Ｎ（さらには水面ＷＬにおける中心点Ｏ）を中心に所定の範囲で、風向に応じて移動するため、自動的に広い範囲を均質に浄化することができる。
【００４１】
＜試験例＞
以上の本実施形態の水質浄化システムを、平均風速３ｍの環境下で、常時貯水量６０万ｍ３のダム湖において実験を行った。実験は、ダム湖の上流寄りで、上下流方向に８０ｍ、川幅方向２０ｍの範囲を対象水域として実施した。水質浄化システムは、上記範囲内の下流側から２０ｍで、幅（２０ｍ）のセンターに設置し、マイクロバブルは上流に向けて水平に吐出した。水深は上流側で約４ｍ、下流側で約１０ｍであった。実施時期は８月から９月にかけての約１ヶ月間とした。
【００４２】
対象水域の実験開始前の水環境は、水深５〜６ｍに温度躍層が形成され、同水深帯の溶存酸素（ＯＤ）が２ｍｇ／ｌ以下の貧酸素状態であった。この溶存酸素（ＯＤ）の計測結果の変化を確認することで、貧酸素水の改善効果を調査した。
すると、１ヵ月後には溶存酸素（ＯＤ）が７ｍｇ／ｌにまで上昇し、その変化量は５ｍｇ／ｌにまで及んだ。
【００４３】
上記の結果からわかるように、本発明の構成を具備する本実施形態の水質浄化システム（ないし水質浄化方法）によれば、有効に溶存酸素量（ＤＯ）が上昇して、水質の改善効果が見られる。
【００４４】
以上、本発明の水質浄化システムおよび水質浄化方法について、図面を挙げて具体的に説明したが、本発明は上記構成に限定されるものではなく、本発明の構成を具備する限り、当業者は公知の知見を適用、差し替え、付加することができる。特に、上記実施形態では、具体的に各部材の点数や大きさ、構造等を特定して説明したが、これらは勿論一例であり、本発明は上記説明した実施形態の数値・構造により制限を受けるものではない。
【００４５】
【発明の効果】
以上説明したように、本発明によれば、閉鎖水域の水質浄化に適し、自立型独立電源で、水面に浮かべて使用することができ、しかも十分な量の酸素を水中に取り込むことができ、水質浄化効率の高い小型の水質浄化システムを提供することができる。
【００４６】
また、本発明の水質浄化システムによれば、１つのユニットで、発電から水質浄化手段の駆動まで自給自足で賄うことができ、機動性が高く持ち運びできる程度の大きさとすることもでき、施工性にも優れ、また構造が単純なためメンテナンスを基本的に不要とすることができる等、数々の利点を有する。
さらに、本発明の水質浄化システムによれば、水質浄化手段として、水面下にマイクロバブルを吐出するマイクロバブル発生装置を採用しており、高効率で溶存酸素量を向上させることができる。
【００４７】
一方、本発明の水質浄化方法によれば、閉鎖水域におけるほぼ中心位置に本発明の水質浄化システムを保持しておくことができ、該閉鎖水域全体を均質に浄化することができる。さらに、水底に１点係留する本発明の水質浄化方法によれば、風向きに追随して本発明の水質浄化システムがある程度自動的に動くため、広い範囲を均質に浄化することができる。
【図面の簡単な説明】
【図１】本発明で規定する鉛直軸風車の基本構造を説明するための模式上面図である。
【図２】本発明の水質浄化システム、および、それを閉鎖水域に用いた本発明の水質浄化方法の一実施形態を表す模式説明図である。
【図３】図２における風力発電機を示す斜視図である。
【図４】図３の水質浄化装置内の電気回路図である。
【符号の説明】
１０  軸
１２、１４、３２、３４  ブレード
１６  ロープ
１８  アンカー
２０  水質浄化システム
２２  フロート
２４  風力発電機
２６  マイクロバブル発生装置
２８  マイクロバブル
３６  天板
３８  底板
４０  サボニウス風車（鉛直軸風車）
４２  発電機
４４  軸
４６  太陽電池
４８  蓄電池
ＢＬ  水底
Ｗ１、Ｗ２  風
ＷＬ  水面
【図１】
2004181324.tif 000003
【図２】
2004181324.tif 000004
【図３】
2004181324.tif 000005
【図４】
2004181324.tif 000006